(57)【要約】【課題】写真が必要な工事情報の電子データを簡単かつ確実に電子納品媒体に書き込むことが可能である。【解決手段】所定機関に調査、設計および工事に関する工事情報の電子データを納品する電子納品システムであって、カメラメモの機能と、撮影したデータを記憶するカメラ記憶媒体を有するデジタルカメラ１１と、電子納品ソフトで工事情報の電子データを作成して電子納品媒体への書き込みを行うコンピュータ１とを備え、工事情報作成工程Ｓ１と、カメラメモ作成工程Ｓ２と、カメラメモ転送工程Ｓ３と、写真撮影工程Ｓ４と、写真情報転送工程Ｓ５と、ファイル出力工程Ｓ６と、写真属性追記工程Ｓ７と、工事台帳作成工程Ｓ８と、写真フォルダ出力工程Ｓ９と、電子納品イメージ取込工程Ｓ１０と、電子納品イメージ作成工程Ｓ１１と、電子納品媒体作成工程Ｓ１３とを有する。【選択図】図６
2009259093.tif 000002
【特許請求の範囲】
【請求項１】
調査、設計および工事に関する工事情報と、カメラメモを含む写真情報との電子データを電子納品媒体への書き込む電子納品システムであって、
前記写真情報を記憶するカメラ記憶媒体を有するデジタルカメラと、
前記工事情報と前記写真情報の電子データとを前記電子納品媒体へ書き込むコンピュータとを備え、
前記工事情報を作成する工事情報作成工程と、
前記デジタルカメラにより撮影する写真毎に付加するカメラメモを作成するカメラメモ作成工程と、
前記作成したカメラメモを前記コンピュータから前記デジタルカメラのカメラ記憶媒体に転送するカメラメモ転送工程と、
前記デジタルカメラで所定機関が定めた基準に写真を撮影する写真撮影工程と、
前記写真に前記カメラメモを付加した前記写真情報を、前記デジタルカメラから前記コンピュータへ転送する写真情報転送工程と、
写真管理ファイルへ前記写真情報を出力するファイル出力工程と、
前記写真情報の写真属性を追記する写真属性追記工程と、
前記写真属性を追記した写真情報を記憶する工事写真台帳を作成する工事写真台帳作成工程と、
前記工事写真台帳を取り込む写真フォルダの出力を行う写真フォルダ出力工程と、
前記電子納品媒体へ書き込む電子納品イメージへの編集済み前記写真フォルダを取り込む電子納品イメージ取込工程と、
前記電子納品媒体に記録するための元データを作成する電子納品イメージ作成工程と、
前記電子納品媒体に納品する前記電子納品イメージの電子データを書き込む電子納品媒体作成工程とを有することを特徴とする電子納品システム。
【請求項２】
前記電子納品イメージ作成工程と前記電子納品媒体作成工程との間に、
前記電子納品媒体のウィルスチェックを行うウィルスチェック工程を有することを特徴とする請求項１に記載の電子納品システム。
【請求項３】
前記電子納品媒体作成工程の次に、
前記電子納品媒体に貼るラベルを印刷するラベル印刷工程を有することを特徴とする請求項１または請求項２に記載の電子納品システム。
【請求項４】
前記ラベル印刷工程の次に、
前記電子納品媒体に書き込んだ電子データを確認する電子納品確認工程を有することを特徴とする請求項１乃至請求項３のいずれか１項に記載の電子納品システム。
【発明の詳細な説明】
【技術分野】
【０００１】
この発明は、電子納品システムに関し、詳しくは、調査、設計および工事に関する工事情報と、カメラメモを含む写真情報との電子データを電子納品媒体への書き込む電子納品システムに関する。
【背景技術】
【０００２】
近年、公共事業の実施をより透明で効率的なものとするための有力な方策として、電子化技術の活用が求められており、例えば国土交通省においては、電子化された情報をベースにして全ての業務を行い情報の流通、共有、再利用の流通を図ろうとするものがある。このために、例えば、調査、設計および工事に関する工事情報をＣＤ−Ｒ（Ｃｏｍｐａｃｔ  Ｄｉｓｃ−Ｒｅｃｏｒｄａｂｌｅ  ）又はＭＯ（Ｍａｇｎｅｔｏ−Ｏｐｔｉｃａｌ  ｄｉｓｃ）の形態で納品することが行われている（特許文献１）。
【特許文献１】特開２００２−１６９８０２号公報
【発明の開示】
【発明が解決しようとする課題】
【０００３】
ところで、例えば、管工事などの調査、設計および工事に関する工事情報は、鉛管更新工事、配水管整備工事などで施工が異なるために、官公庁等の所定機関に提出する書類も特別である。しかも、この提出書類には、工事の施工状況を示す写真が必ず必要であるから工事を実際に行わない代行業者（依頼先）などに依頼することができない。したがって、工事業者が工事を行い、直接写真撮影して、所定機関によって指定された様式で調査、設計および工事に関する工事情報と、カメラメモを含む写真情報との電子データを電子納品媒体への書き込み、この電子納品媒体を所定機関に納品する必要がある。
【０００４】
この発明は、上記実状に鑑みてなされたものであり、写真が必要な工事情報の電子データを簡単かつ確実に電子納品媒体に書き込むことが可能な電子納品システムを提供することを目的とする。
【課題を解決するための手段】
【０００５】
前記課題を解決し、かつ目的を達成するために、この発明は、以下のように構成した。
請求項１に記載の発明は、
調査、設計および工事に関する工事情報と、カメラメモを含む写真情報との電子データを電子納品媒体への書き込む電子納品システムであって、
前記写真情報を記憶するカメラ記憶媒体を有するデジタルカメラと、
前記工事情報と前記写真情報の電子データとを前記電子納品媒体へ書き込むコンピュータとを備え、
前記工事情報を作成する工事情報作成工程と、
前記デジタルカメラにより撮影する写真毎に付加するカメラメモを作成するカメラメモ作成工程と、
前記作成したカメラメモを前記コンピュータから前記デジタルカメラのカメラ記憶媒体に転送するカメラメモ転送工程と、
前記デジタルカメラで所定機関が定めた基準に写真を撮影する写真撮影工程と、
前記写真に前記カメラメモを付加した前記写真情報を、前記デジタルカメラから前記コンピュータへ転送する写真情報転送工程と、
写真管理ファイルへ前記写真情報を出力するファイル出力工程と、
前記写真情報の写真属性を追記する写真属性追記工程と、
前記写真属性を追記した写真情報を記憶する工事写真台帳を作成する工事写真台帳作成工程と、
前記工事写真台帳を取り込む写真フォルダの出力を行う写真フォルダ出力工程と、
前記電子納品媒体へ書き込む電子納品イメージへの編集済み前記写真フォルダを取り込む電子納品イメージ取込工程と、
前記電子納品媒体に記録するための元データを作成する電子納品イメージ作成工程と、
前記電子納品媒体に納品する前記電子納品イメージの電子データを書き込む電子納品媒体作成工程とを有することを特徴とする電子納品システムである。
請求項２に記載の発明は、
前記電子納品イメージ作成工程と前記電子納品媒体作成工程との間に、
前記電子納品媒体のウィルスチェックを行うウィルスチェック工程を有することを特徴とする請求項１に記載の電子納品システムである。
請求項３に記載の発明は、
前記電子納品媒体作成工程の次に、
前記電子納品媒体に貼るラベルを印刷するラベル印刷工程を有することを特徴とする請求項１または請求項２に記載の電子納品システムである。
請求項４に記載の発明は、
前記ラベル印刷工程の次に、
前記電子納品媒体に書き込んだ電子データを確認する電子納品確認工程を有することを特徴とする請求項１乃至請求項３のいずれか１項に記載の電子納品システムである。
【発明の効果】
【０００６】
前記構成により、この発明は、以下のような効果を有する。
【０００７】
請求項１に記載の発明では、写真情報を記憶するカメラ記憶媒体を有するデジタルカメラと、工事情報と写真情報の電子データとを電子納品媒体へ書き込むコンピュータとを備え、工事情報を作成し、かつデジタルカメラにより撮影する写真毎に付加するカメラメモを作成し、作成したカメラメモをコンピュータからデジタルカメラのカメラ記憶媒体に転送し、デジタルカメラで所定機関が定めた基準に写真を撮影し、写真にカメラメモを付加した写真情報を、デジタルカメラからコンピュータへ転送し、写真管理ファイルへ写真情報を出力し、写真情報の写真属性を追記し、写真属性を追記した写真情報を記憶し、工事写真台帳を取り込む写真フォルダの出力を行い、電子納品媒体へ書き込む電子納品イメージへの編集済み写真フォルダを取り込み、電子納品媒体に記録するための元データを作成し、電子納品媒体に納品する電子納品イメージの電子データを書き込み、所定機関によって指定された様式で調査、設計および工事に関する工事情報と、カメラメモを含む写真情報との電子データを電子納品媒体へ簡単かつ確実に書き込み、この電子納品媒体を所定機関に納品することができる。
【０００８】
請求項２に記載の発明では、電子納品媒体のウィルスチェックを行うことで、確実な電子データを作成することができる。
請求項３に記載の発明では、電子納品媒体に貼るラベルを印刷し、このラベルを電子納品媒体に貼り付けて納品することができる。
【０００９】
請求項４に記載の発明では、電子納品媒体に書き込んだ電子データを確認し、正確な電子データを納品することができる。
【発明を実施するための最良の形態】
【００１０】
以下、この発明の電子納品システムの実施の形態について説明する。この発明の実施の形態は、発明の最も好ましい形態を示すものであり、この発明はこれに限定されず、この発明の精神を逸脱しない範囲で種々の構成変更が可能である。
【００１１】
［電子納品システムのハードウエア構成］
図１は電子納品システムのハードウエア構成例を示す概略ブロック図である。この実施の形態の電子納品システムでは、デジタルカメラ１１と、コンピュータ１とを備え、デジタルカメラ１１は、写真情報を記憶するカメラ記憶媒体１２を有し、コンピュータ１は、工事情報と写真情報の電子データとを電子納品媒体１３へ書き込む。
【００１２】
すなわち、コンピュータ１として、パーソナルコンピュータ（ＰＣ）が用いられ、コンピュータ１は、ＣＰＵ（中央処理装置）２、記憶装置３、キーボードやマウス等の入力操作装置４、ＣＲＴ又はＬＣＤなどのディスプレイを含む表示装置５を備え、これらの装置２〜５は、バス６を介して互いに接続されている。
【００１３】
システム全体を制御するＣＰＵ２は、所定のプログラムに従って種々の制御を行い、各種アプリケーションプログラムにより、調査、設計および工事に関する工事情報を作成し、電子納品データ作成処理を中心的に遂行する。
【００１４】
記憶装置３は、基本プログラム、この電子データ作成に関するプログラムや固定データ／パラメータを記憶したＲＯＭ（読出専用メモリ）、各種データ等を一時記憶するＲＡＭ（ランダムアクセスメモリ）の外、ハードディスクドライブ（ＨＤＤ）やＣＤ−ＲＯＭドライブ／ＦＤＤ（フロッピィディスクドライブ）等の外部記憶装置から成り、これらの外部記憶装置には、この電子データ作成に関するプログラムや各種データ／パラメータを記憶することができる。
【００１５】
また、入力操作装置４は、表示装置５に表示される各種画面を視認しつつ、キーボードの所定キーの操作或いは表示装置５上の操作ボタンをマウスで指示することにより、この電子データ作成等の処理を遂行することができる。
【００１６】
コンピュータ１のバス６には、インターフェー７を介して、プリンタ９などの書類出力装置が接続される。
【００１７】
コンピュータ１には、さらに、別のＨＤＤ、ＣＤ−ＲＯＭドライブ、ＦＤＤ、ＭＯ（光磁気）ディスクドライブ等の外付けの外部記憶媒体１０をインターフェース７を介して接続され、この電子データ作成に関するプログラムや各種データ／パラメータを外部記憶媒体１０に記録しておくことができる。
【００１８】
また、インターフェース７を介してデジタルカメラ１１にセットされたカメラ記憶媒体１２と外部記憶媒体１０との間で転送して記憶可能であり、さらに、通信ネットワークを介して他のシステムとも通信可能である。
【００１９】
また、インターフェース７を介して電子納品媒体１３が接続され、この電子納品媒体１３に所定機関によって指定された様式で調査、設計および工事に関する工事情報と、カメラメモを含む写真情報との電子データを簡単かつ確実に書き込み、この電子納品媒体１３を所定機関に納品することができる。
【００２０】
［電子納品のフォルダ構成］
図２は電子納品のフォルダの概略構成図である。この実施の形態では、電子納品媒体１３として、例えばＣＤ−Ｒが用いられ、電子納品のフォルダとして、工事管理ファイル１１、発注図面フォルダ１２、打合せ簿フォルダ１３、施工計画書フォルダ１４、完成図面フォルダ１５、写真フォルダ１６、その他フォルダ１７などが記憶される。この電子納品媒体１３がインターフェース７を介してコンピュータ１に接続され、この実施の形態では、電子納品媒体１３に工事管理ファイル１１と写真フォルダ１６の電子データを書き込み納品する場合について説明する。
［写真フォルダ構成］
この実施の形態では、コンピュータ１の記憶装置３に複数の写真フォルダが記憶される。図３乃至図５は写真フォルダの構成を示す図であり、図３が鉛管更新工事写真格納フォルダの構成を示し、図４が配水管整備工事写真格納フォルダ（１）の構成を示し、図５が配水管整備工事写真格納フォルダ（２）の構成を示す。
【００２１】
図３の鉛管更新工事写真格納フォルダでは、大分類Ｌｖ１として鉛管単独更新、工種Ｌｖ２として材料確認、工事着工前原形、工事完了、給水管切替工など、測点Ｌｖ３として工事着工前原形に対して１，２，３・・・、工事完了に対して１，２，３・・・、給水管切替工に対して１，２，３・・・、種別Ｌｖ４として給水管切替工、１，２，３・・・に対して工事着工前原形、工事完了、占用位置、土被りなど、細別ｌｖ５として工事完了に対して宅地部、水栓番号などのデータが記憶される。
【００２２】
図４の配水管整備工事写真格納フォルダ（１）では、大分類Ｌｖ１として配水管設備工事、工種Ｌｖ２として工事着工前原形、工事完了、材料確認、仮配管敷設工など、測点Ｌｖ３として工事着工前原形に対してＮｏ○○、工事完了に対してＮｏ○○、仮配管敷設工に対してＫ−○○、種別Ｌｖ４としてＫ−○○に対してカッター工、舗装取壊し工、既存舗装厚など、細別ｌｖ５として仮復旧工に対してプライムコート工、再生密粒度ＡＳなどのデータが記憶される。
【００２３】
また、図５の配水管整備工事写真格納フォルダ（２）では、大分類Ｌｖ１として配水管設備工事、工種Ｌｖ２として配管状況、仕切弁設置工、消火栓設置工など、測点Ｌｖ３として配管状況に対して各測点、仕切弁設置工に対してＶ−○○、消火栓設置工に対してＨ−○○など、種別Ｌｖ４として各測点に対して配管状況、ポリスリーブ工など、Ｖ−○○に対して配管状況、砕石基礎工など、Ｈ−○○に対して配管状況、砕石基礎工などのデータが記憶される。
【００２４】
［電子納品システムの概略工程］
図６は電子納品システムの概略工程図である。この実施の形態は、調査、設計および工事に関する工事情報と、カメラメモを含む写真情報との電子データを電子納品媒体への書き込む電子納品システムであり、この電子納品システムは、工事情報作成工程Ｓ１、カメラメモ作成工程Ｓ２、カメラメモ転送工程Ｓ３、写真撮影工程Ｓ４、写真情報転送工程Ｓ５、ファイル出力工程Ｓ６、写真属性追記工程Ｓ７、工事写真台帳作成工程Ｓ８、写真フォルダ出力工程Ｓ９、電子納品イメージ取込工程Ｓ１０、電子納品イメージ作成工程Ｓ１１、ウィルスチェック工程Ｓ１２、電子納品媒体作成工程Ｓ１３、ラベル印刷工程Ｓ１４、電子納品確認工程Ｓ１５を有する。次に、この電子納品システムの各工程について詳細に説明する。
【００２５】
（工事情報作成工程Ｓ１）
この工事情報作成工程Ｓ１では、図７乃至図１３に示すように、電子納品ソフトで工事情報を整理、編集して作成する。この電子納品ソフトで［工事管理］は、写真のデータを整理、編集するためのシステムであり、これは工事物件ごとに、以下の手順で作成する。
（１）電子納品システムの［スタート］−［すべてのプログラム］−［工事管理］の画面で工事管理を起動する。
（２）初回起動時（工事情報の入力が全くない場合）は、図７の画面が表示されるので「ＯＫ」７ａをクリックし、表示されない場合は図１３の画面が表示される（工事管理がすでに存在する場合）。
（３）「ＯＫ」７ａのクリックで、図８の工事情報の入力画面が表示されるので、「ＣＯＲＩＮＳの参照」８ａをクリックする。
（４）「ＣＯＲＩＮＳの参照」８ａのクリックで、図９の［デスクトップ］の画面を開き、［ＣＯＲｌＮＳフォルダ］９ａの中にある「ＣＯＲｌＮＳファイル」９ｂを選択し、「開く」９ｃをクリックする。
（５）「開く」９ｃのクリックで、図１０の「ＣＯＲＩＮＳの参照読込み」１０ａが表示され、内容を確認後「全情報を取込」１０ｂをクリックする。
（６）「全情報を取込」１０ｂのクリックで、図１１の上書き可否の画面が表示さ、「はい（Ｙ）」１１ａをクリックする。
（７）「はい（Ｙ）」１１ａのクリックで、図１２の選択した「ＣＯＲＩＮＳファイル」の内容が取り込まれ、内容を確認後「ＯＫ」１２ａをクリックする。
【００２６】
（８）「ＯＫ」１２ａのクリックで、図１３の新規に工事情報１３ａが作成される。
【００２７】
このようにして、［工事管理］が作成され、この「工事管理」に撮影した写真を取り込み、整理・編集をしていく。
【００２８】
（カメラメモ作成工程Ｓ２）
このカメラメモ作成工程Ｓ２では、デジタルカメラ１１により撮影する写真毎に付加するカメラメモを作成する。このカメラメモとは、デジタルカメラの機能であり、撮影した写真１枚１枚に、その写真がどのような写真であるのかなどの情報を付加することができ、この機能は、電子納品ソフトと連動しており、電子納品ソフトでの写真の仕分けを以下のようにして支援する。このカメラメモの作成は、以下の手順で行う。
（１）電子納品システムの［スタート］−「すべてのプログラム］−［Ｃａｐｌｉｏ  Ｓｏｆｔｗａｒｅ］−［Ｌｉｓｔ  Ｅｄｉｔｏｒ］を起動する。
（２）図１４の画面で項目１の項目名１４ａ１に「大分類」１４ａ２、項目２の項目名１４ｂ１に「工種」１４ｂ２、項目３の項目名１４ｃ１に「測点」１４ｃ２、項目４の項目名１４ｄ１に「種別」１４ｄ２、項目５の項目名１４ｅ１に「細別」１４ｅ２を入力する。目的のタブをクリックし、項目名を入力することでタブの文字が変更される。
（３）図１５の画面で、「大分類」、「工種」、「測点」、「種別」、「細別」ごとの入力一覧に項目を入力する。すなわち、対象のタブ１５ａを選択し、「入力」１５ｂの欄に文字を入力し、「追加」をクリックする。入力一覧の項目１５ｄについては、例えば図３の鉛管更新工事写真格納フォルダ構成に示す。
（４）図１６の［ファイル］−［名前を付けて保存」１６ａをクリックし、今回作成したリストをデスクトップに、例えば「鉛管単独ｍｔａ」１６ｂという名前で保存し、カメラメモ作成工程Ｓ２を終了する。
【００２９】
（カメラメモ転送工程Ｓ３）
このカメラメモ転送工程Ｓ３では、カメラメモ作成工程Ｓ２において作成し編集したカメラメモをコンピュータ１からデジタルカメラ１１のカメラ記憶媒体１２に転送する。このカメラ記憶媒体１２としては、デジタルカメラ１１にセットしたメモリーカードなどが用いられ、カメラメモは以下の手順でメモリーカードの中に保存される。
（１）メモリーカードをいれたデジタルカメラ１１とコンピュータ１をケーブルで接続し、図１７の画面が表示されたら「キャンセル」１７ａをクリックする。すなわち、表示された画面と実際の画面と異なる場合があるため、画面を消去する。
（２）デスクトップにある「鉛管単独更新ｍｔａ」をダブルクリックして図１８の画面を開き、「カメラアイコン」１８ａをクリックする。
（３）「カメラアイコン」１８ａのクリックにより図１９の画面が表示されたら「ＯＫ」１９ａをクリックし、  ［ファイル］一［終了］をクリックし、デジタルカメラ１１とコンピュータ１のケーブルを外し、コンピュータ１からデジタルカメラ１１のカメラ記憶媒体１２へのカメラメモの転送は終了する。
（写真撮影工程Ｓ４）
この写真撮影工程Ｓ４では、デジタルカメラ１１で所定機関が定めた基準に写真を撮影する。
（１）この写真撮影工程Ｓ４では、図２０のデジタルカメラ１１のモードダイヤル１１ａを「ＣＡＬＳ」１１ｂにセットする。すなわち、工事用写真（水道局提出用写真）は、国土交通省が定めた「ＣＡＬＳ／ＥＣ」という基準で撮影する必要があり、図２０のモードダイヤル１１あを「ＣＡＬＳ」１１ｂにセットすることで、自動的に「ＣＡＬＳ／ＥＣ」という基準で撮影が可能になる。
（２）デジタルカメラ１１の設定を行い、撮影可能にし、図２１の「ＡＤＪ／ＭＥＭＯボタン」２１ａを押して、被写体に対するカメラメモ２１ｂを設定し、撮影する。
【００３０】
（写真情報転送工程Ｓ５）
この写真情報転送工程Ｓ５では、写真にカメラメモを付加した写真情報を、デジタルカメラ１１からコンピュータ１へ転送する。すなわち、写真撮影工程Ｓ４では、デジタルカメラ１１で撮影し、カメラメモを付けた写真のデータを以下の手順でデジタルカメラ１１からコンピュータ１へと送る。
【００３１】
（１）デジタルカメラ１１の接続モードを「オリジナル」へ設定し、デジタルカメラ１１とコンピュータ１をケーブルで接続する。
（２）この接続によって、図２２の画面が表示されると、「ＲＩＣＯＨ  Ｇａｔｅ  Ｌａ」２２ａを選択し、「ＯＫ」２２ｂをクリックし、「ＲＩＣＨＯ  Ｇａｔｅ  Ｌａ」は「Ｃａｐｌ  ｉｏ  ５００  Ｇｗｉｄｅ  付属ソフト」になる。
（３）「ＲＩＣＨＯ  Ｇａｔｅ  Ｌａ」が起動し、図２３の「保存」２３ａをクリックする。
（４）図２４の取り込み完了のメッセージが表示されたら、「ＯＫ」２４ａをクリックし、デジタルカメラ１１とコンピュータ１のケーブルを外す。
（５）図２４の「保存先」２４ｂをクリックすることで撮影した写真ファイルが格納されていることを確認することができ、デジタルカメラ１１で撮影した写真のデータは、メモリーカードの中にそのまま残って保存されている。
【００３２】
（ファイル出力工程Ｓ６）
このファイル出力工程Ｓ６では、写真管理ファイルへ写真情報を出力する。
【００３３】
（１）「工事管理」を起動後、図２５の工事情報作成工程Ｓ１において作成した「工事」２５ａをクリックし選択状態にする。
（２）図２６の「写真管理」２６ａをクリックすると、サブメニューの「写真管理」、「新規アルバム」が表示され、サブメニューの「写真管理起動」２６ｂをクリックする。
（３）「写真管理起動」２６ｂをクリックすると、写真管理のプログラムが起動し、図２７の工事テンプレート読み込み画面が表示される。図２７の画面が出力されるのは初回のみで、２回目以降は、図３０の画面が表示される。
【００３４】
（４）図２８の工事テンプレート読み込み画面において「変更」２８ａをクリックし、対象のテンプレートを選択し、テンプレートは［デスクトップ］一［テンプレートフォルダ］にある「鉛管更新工事写真格納フォルダ構成」を使用し、グループ名が「ｋｅｎｓｙｕｕ」、登録名が「鉛管単独更新」２８ｂであることを確認した後、中央の格納フォルダの「全選択」２８ｃをクリックする。すると全ての項目にチェックが入り、「読込」２８ｄがクリック可能になり、この「読込」２８ｄをクリックする。
（５）取込が終了したら、図２９の工事テンプレート読み込み画面において「終了」２９ａをクリックし、この「終了」２９ａのクリックにより、図３０の施工管理画面に工事テンプレートが読み込まれた格納フォルダ３０ａが表示される。
（６）図３１の施工管理画面の「鉛管単独更新」の左にある「一」３１ａをクリックしてツリーを短縮し、「取り込み」３１ｂがクリックできる状態にする。
（７）次に、図３２の施工管理画面の「取り込み」フォルダ３２ａをクリックし、選択状態にし、「取り込み」アイコン３２ｂをクリックする。
（８）このクリックにより、図３３の取り込み画面が表示され、「フォルダ」３３ａをクリックし、「カメラメモ」を参照して「自動振り分けする」３３ｂにチェックを入れ、「ＯＫ」３３ｃをクリックする。
（９）この「ＯＫ」３３ｃのクリックにより、図３４のフォルダ選択画面が表示され、取り込みたい写真を格納してある「フォルダ」３４ａを選択する。このためには、「指定されたフォルダ以下の写真を全て取り込む」３４ｂにチェックを付け、「取込」３４ｃをクリックする。この実施の形態では、デジタルカメラ１１で撮影し、コンピュータ１ヘコピーしたフオルダを対象とし、対象のフォルダは［デスクトップ］の［研修用ＰＨＯＴＯフォルダ］になる。
（１０）図３５の施工管理画面において、写真にカメラメモがついていれば、写真がそれぞれの「フォルダ」３５ａに振り分けられて格納される。例えば、
［鉛管単独更新］一［給水管切替工］一［１］一［既設鉛管状況］一［検尺］に１枚
［鉛管単独更新］一［給水管切替工］一［１］一［水圧テスト］に１枚
［鉛管単独更新］一［給水管切替工］一［１］一［防食フイルム］に１枚
［鉛管単独更新］一［給水管切替工］一［１］一［配管状況］一［サドル部］に１枚
以上の格納フォルダに写真が取り込まれていれば、カメラメモの設定は正しく行なわれており、以上で写真の取り込み及び仕分けは終了となる。
（写真属性追記工程Ｓ７）
この写真属性追記工程Ｓ７では、写真情報の写真属性を追記する。この実施の形態では、写真属性とは写真タイトルのことを指し、ここでは、その写真タイトルの入力の仕方を、以下の手順で行なう。
【００３５】
（１）写真タイトルが入っていないことを確認するために、図３６の施工管理画面で「写真」３６ａをダブルクリックすると「その写真の情報」３６ｂを見ることができ、「写真タイトル」３６ｃによって写真タイトルが入っていないことを確認する。
（２）図３６の  画面を「閉じる」で終了し、図３７の施工管理画面で「下位分類の写真」３７ａが選択状態であることを確認し、次に、「鉛管単独更新」３７ｂをクリックし、次に、「情報置換」３７ｃをクリックし、情報置換画面を表示させる。
（３）図３８の情報置換画面で、項目１に「所属分類」３８ａ、項目２に「写真タイトル」３８ｂを選択し、「実行」３８ｃをクリックし、図３９の施工管理写真管理画面で情報置換終了のメッセージが出力され、「ＯＫ」３８ｃをクリックし、これで写真タイトルに情報が追加できる。
（４）実際の画面と異なる場合があるため、実際に写真タイトルが入力されているか確認する。すなわち、図４０の施工管理画面で「電子納品出力」４０ａをクリックし、「チェック」クリックし、写真に付加した情報にエラーがないかチェックする。
（５）エラーの場合は、図４１の電子納品チェック画面において、警告メッセージが表示されるので、「後で修正」４１ａをクリックし、分類エラーについては修正は行わないので、「今すぐ修正」は使用しない。
【００３６】
（６）  「後で修正」４１ａのクリックによって、図４２の電子納品チック画面の写真ファイルについての「エラー情報」４２ａが表示され、エラーを訂正していき、このエラーは、国土交通省発行の＜デジタル写真管理情報（案）＞に規定している項目に違反しているためである。エラーの種類に関しては、コンピュータ１の画面内にある「エラーの内容」を参照し、この実施の形態の場合は、禁則文字使用のエラー（文字の全角半角の使い方が間違っている）が発生したので、「禁則文字一括変換」４２ｂをクリックし情報を置換している。
（７）図４３の電子納品チック画面で最終的にエラーが出ないようにし、「エラーが無くなった」４３ａことを確認し、「閉じる」４３ｂをクリックして終了させる。
（工事写真台帳作成工程Ｓ８）
この工事台帳作成工程Ｓ８では、写真属性を追記した写真情報を記憶する工事写真台帳を作成する。この実施の形態では、工事写真台帳を、以下の手順で作成する。
【００３７】
（１）図４４の施工管理画面で「アルバム作成」４４ａをクリックし、図４５の施工管理画面で「条件設定」４５ａをクリックする。
（２）標準のテンプレートではなく、オリジナルのテンプレートを使用するために、図４６の作成条件設定の画面が表示され、「レイアウト選択」４６ａをクリックする。次に、「参照先変更」４６ｂをクリックし、［デスクトップ］−  ［アルバムテンプレート］フォルダ配下の「ＥＸＰｈｏｔＶ６．ｆｍｔ」を選択し、次に、「ＯＫ」４６ｃをクリックする。
（３）「ＯＫ」４６ｃのクリックにより図４７の施工管理画面でアルバムを作成したいカテゴリを選択し、カテゴリ以下の写真は全て対象となる。この実施の形態では、給水管切替工の配下を全て対象とし、「給水管切替工」４７ａをクリックし、次に「作成」４７ｂをクリックする。
【００３８】
（４）「作成」４７ｂのクリックによってアルバムの作成が行われ、このアルバムの作成では、図４８のアルバム作成画面が表示されるので、「はい」４８ａをクリックし、アルバム編集が起動する。印刷は、図４９の施工管理画面が表示されて［ファイル］一［印刷］４９ａから行え、以上で、工事写真台帳への印刷は終了する。
【００３９】
（写真フォルダ出力工程Ｓ９）
この写真フォルダ出力工程Ｓ９では、工事写真台帳を取り込む写真フォルダの出力を行う。
【００４０】
（１）この実施の形態では、図５０の施工管理画面で  「電子納品出力」５０ａと、「作成」５０ｂをクリックする。
【００４１】
（２）このクリックによって、図５１の電子納品出力画面によって、ダイアログボックスが表示され、「出力先フォルダ」５１ａを［デスクトップ］一［ＰＨＯＴＯ出カフォルダ］にし、「出力」５１ｂをクリックし、出カサイズなどはデフォルトの値を用いる。
【００４２】
（３）出力先フォルダにファイルやフォルダが存在する場合は、図５２の施工管理写真管理画面によってメッセージが表示される場合があり、電子納品出力を続ける場合は、「はい（Ｙ）」５２ａをクリックする。
【００４３】
（４）図５３の施工管理写真管理画面によってダイアログボックスが出力されれば終了になり、「ＯＫ」５３ａをクリックすることで、写真フォルダの出力はこれで終了する。
（電子納品イメージ取込工程Ｓ１０）
この電子納品イメージ取込工程Ｓ１０では、電子納品媒体へ書き込む電子納品イメージへの編集済み写真フォルダを取り込む。
【００４４】
（１）この実施の形態では、図５４の工事画面で「工事名」５４ａを確認後、工事管理の「電子納品」５４ｂをクリックすると、サブメニューの「電子納品起動」５４ｃが表示され、この「電子納品起動」５４ｃする。
（２）「電子納品起動」５４ｃのクリックによって、電子納品ツールが起動されると、図５５の「基本となる電子納品要領（案）の選択」画面が表示され、各機関に「国土交通省」５５ａ，５５ｂ、名称に「工事完成図書の電子納品要領」５５ｃとなり、名称に「工事完成図書の電子納品要領」５５ｃとなっていることを確認し、「ＯＫ」５５ｄをクリックすると画面が切り替わる。
（３）  図５６の電子納品ツール画面の  ［ファイル］一［外部ファイル読込］一［ＣＯＲｌＮＳ（Ｃ）］５６ａをクリックすると、図５７の外部ファイル読込画面のダイアログが表示され、「ＣＯＲｌＮＳファイル」５７ａの場所を指定し、「ＯＫ」５７ｂをクリックする。ＣＯＲｌＮＳファイルは［デスクトップ］一［ＣＯＲｌＮＳフォルダ］の中にある「ＣＯＲｌＮＳファイルＣＦＤ」を使用する。
（４）図５８の電子納品ツール画面において警告が表示された場合は「ＯＫ」５８ａをクリックし、図５９の電子納品ツール画面のデータ読込成功メッセージが表示されたら「ＯＫ」５９ａをクリックして読込終了となる。
（５）次に、図６０の電子納品ツール画面の［ファイル］一［電子納品取込］６０ａをクリックし、図６１の電子納品取込ダイアログが表示され、「写真データ取込」６１ａをクリックし、「参照」６１ｂをクリックし、取り込むファイルを開き「ＰＨＯＴＯ．ｘｍｌ」６１ｃをクリックし、「Ｃ：￥ＤｏｃｕｍｅｎｔｓａｎｄＳｅｔｔｉｎｇｓ￥ｋｅｎｓｙｕｕ￥デスクトップ￥研修用ＰＨＯＴＯ出力フォルダ￥ＤｌＳＫＩ￥ＰＨＯＴＯ」の配下にある「ＰＨＯＴＯ．ＸＭＬ」を選択し、取り込むＰＨＯＴＯ，ｘｍｌの場所を確認したあと、「ＯＫ」６１ｅをクリックする。
（６）図６２の電子納品ツール画面において、データ読込成功が表示されたら、「ＯＫ」６２ａをクリックすると、データの取込は終了となる。このデータの取込終了後、図６３の画面で第二階層のＰＨＯＴＯ  フォルダ以下の「ＰＩＣフォルダ」６３ａに写真が入力されているところを確認する。
（電子納品イメージ作成工程Ｓ１１）
この電子納品イメージ作成工程Ｓ１１では、電子納品媒体１３に記録するための元データを作成する。
【００４５】
（１）この実施の形態では、電子納品媒体１３であるＣＤ−Ｒに記録するための元データを作成するために、図６４の電子納品ツール画面で「納品チェック」６４ａをクリックする。
【００４６】
（２）この「納品チェック」６４ａのクリックにより、図６５の納品チェックの条件設定画面において納品のチェックダイヤグラムが表示されるので、「ＯＫ」６５ａをクリックする。
【００４７】
（３）納品にエラーがあった場合は、図６６，図６７の納品チェック結果一覧画面で、エラー内容が表示されるので修正する。エラーが表示されるのは、必須項目が未入力、または工事完成図書の電子納品要領（案）に規定されている項目に違反しているためであり、エラー修正後、「ＯＫ」６６ａ，６７ａをクリックする。
【００４８】
（４）図６８の電子納品ツール画面の「媒体イメージ」６８ａをクリックすると、図６９の電子納品出力画面において媒体イメージの出力設定画面が表示されるので、出力フォルダに「Ｃ：￥Ｄｏｃｕｍｅｎｔｓａｎｄ  Ｓｅｔｔｉｎｇｓ￥ｋｅｎｓｙｕｕ￥デスクトップ￥研修用電子納品格納フォルダ」を選び、「ＯＫ」６９ａをクリックし、電子納品出力は終了となる。
（ウィルスチェック工程Ｓ１２）
このウィルスチェック工程Ｓ１２では、電子納品媒体１３のウィルスチェックを行う。
【００４９】
（１）図７０の電子納品ツール画面で「ウィルスチェック」７０ａをクリックすると、図７１のウィルスバスター画面が開きウィルスバスターが起動し、図７２のウィルスバスター画面でウィルスチェック対象の「フォルダ」７２ａを選択する。図７３のウィルスバスター画面において電子納品のイメージ作成で出力されたＤｌＳＫＩフォルダが対象となり、対象フォルダの場所は、「Ｃ：￥Ｄｏｃｕｍｅｎｔｓ  ａｎｄ  Ｓｅｔｔｉｎｇｓ￥ｋｅｎｓｙｕｕ￥」デスクトップ￥研修用電子納品格納フォルダ￥ＤＩＳＫＩ」になる。「対象フォルダ」７３ａにチェックを付け、「検索」７３ｂをクリックし、図７４のウィルス検索中のダイアログが表示され、ウィルスチェックが開始される。「＋」のマークをクリックすると、配下のフォルダ、ファイルが表示され、目的のフォルダまで表示し、チェックをつけ手検索する。
（２）図７４のウィルス検索中画面でウイルス検索が開始され、図７５のウィルスバスター画面でウィルスが見つかりませんでしたというメッセージが出力されると終了となる。
（３）最後に、図７６のウィルスバスター画面においてウィルス定義の日付をメモし、このメモは、ＣＤ−Ｒのラベル印刷で必要になり、図７６の画面で「ヘルプ」一「バージョン情報」７６ａをクリックする。
（４）図７７の  画面が表示されたら、「ウィルスパターンファイルリリース日」７７ａの日付をメモし、電子納品のウィルスチェックは終了となる。
（電子納品媒体作成工程Ｓ１３）
この電子納品媒体作成工程Ｓ１３では、電子納品媒体１３に納品する電子納品イメージの電子データを書き込む。
【００５０】
（１）図７８の電子納品ツール画面で「ＣＤ−Ｒの書き込み」７８ａをクリックし、図７９を開き、「データ」７９ａ、「「データＣＤの作成」７９ｂをクリックする。
（２）図８０の「ＮｅｒｏＥｘｐｒｅｓｓ」が起動するので、「追加（Ａ）」８０ａをクリックし、図８１の参照場所を［デスクトップ］一［電子納品格納フォルダ］一［ＤｌＳＫＩ］８１ａを選択し、「ＤｌＳＫＩ」以下の［ファイル］８１ｂを全て選択したら「追加」８１ｃをクリックした後、「完了」８１ｄをクリックする。
（３）図８２の画面で、追加された「情報」８２ａを確認した後、「次へ」８２ｂをクリックし、図８３の画面を開き、  「後でファイルを追記可能にするマルチセッションディスク」８３ａのチェックを外し、書き込み設定のダイアログが開くので、「書き込み」８３ｂをクリックし、「正常終了」したら終了となり、電子納品媒体（ＣＤ−Ｒ）１３の作成は終了する。
【００５１】
（ラベル印刷工程Ｓ１４）
このラベル印刷工程Ｓ１４では、電子納品媒体１３に貼るラベルを印刷する。
（１）図８４の電子納品ツール画面の「ラベル印刷」８４ａをクリックし、図８５の電子納品ツール画面が表示されるので、「出力設定（Ｔ）」８５ａをクリックする。
（２）  「出力設定（Ｔ）」８５ａのクリックによって図８６のラベル設定画面が表示されたら、「管理項目から読込み（Ｒ）」８６ａをクリックし、この作業により、先に入力した「工事番号」や「エ事名称∫などの値が入力される。
（３）図８７の電子納品ツール画面のメッセージが表示されたら、「はい（Ｙ）」８７ａをクリックし、図８８のラベル設定画面で「工事管理項目の情報」８８ａが読み込まれ、その後、「ウィルスチェック設定」８８ｂをクリックする。
（４）図８９のウィルスチェック設定画面でウィルス対策ソフト名に「ウィルスバスター」８９ａを選び、「ウィルス定義年月日」は＜電子納品イメージのウィルスチエック＞でメモした「ウィルスパターンファイルリリース日」８９ｂを選択する。また、日付は「ウィルスバスター」を起動後、「ヘルプ」→「バージョン情報」→「ウィルスパターンリリース日」で確認できる。
（５）図９０のラベル設定画面で「ラベルプリンタで印刷（Ｚ）」９０ａをクリックし、図９１のラベルプリンタ画面が表示されたら、フォーマットー覧から例えば千葉県工事〔工事名称２行版〕」９１ａを選択し、「ＯＫ」９１ｂをクリックする。
（６）図９２の新規納品画面が表示されたら、「発注社名」を変更し、実際の「発注者」９２ａを入力する。
（７）図９３の全体プレビュー画面でプレビューの内容を確認したら、画面の「印刷」９３ａをクリックし、図９４で印刷確認画面が表示されるので、印刷オプションに「上レーベルから全レーベルを連続で印刷します」９４ａを選び、「印刷開始」９４ｂをクリックし、後は、（電子納品媒体（ＣＤ−Ｒ）の作成〉で作成したＣＤ−Ｒをラベル印刷専用プリンタに入れ、印刷を行い電子納品の完成となる。
【００５２】
（電子納品確認工程Ｓ１５）
この電子納品確認工程Ｓ１５では、電子納品媒体１３に書き込んだ電子データを確認する。
【００５３】
（１）この実施の形態では、電子納品媒体１３であるＣＤ−Ｒをドライブにセットし、［スタート］ー［すべてのプログラム］−［電子納品システム］−［チェックシステムＶｅｒ６：５．０］をクリックすると、図９５の選択画面が開き、ＣＤ−Ｒメディアを挿入した「ドライブ」９５ａを選択し、「ＯＫ」９５ｂをクリックする。
（２）図９６でチェックを行うフォルダの設定画面が表示され、デフォルトのまま「ＯＫ」９６ａをクリックすると、図９７の使用されている要領（案）及び基準（案）の画面が表示されるので「ＯＫ」９７ａをクリックする。図９８の結果表示の画面が表示されるので、「ＯＫ」９８ａをクリックし、図９９のエラー内容が「タグ名：写真―大分類、要素内容：鉛管単独更新」９９ａもあることを確認する。
（３）次に、図１００の電子納品チェックシステム画面でチェック結果を印刷し、このチェック結果も納品の一部となり、「結果出力」１００ａをクリックする。
（４）図１０１の印刷画面が表示されたら、「プレビュー」１０１ａをクリックし、図１０２の選択画面が表示されますので、「メッセージ」１０２ａにチャックを付け、「ＯＫ」１０２ｂをクリックし、図１０３の印刷イメージ画面が出力される。「頁切り替えボタン」１０３ａをクリックすると２ページ目が表示され、頁切り替えボタンを押すことで頁が切り替わって表示され、図１０４のプレビュー画面で「プリンタアイコン」１０４ａをクリックすると、電子納品のデータが印刷される。
【産業上の利用可能性】
【００５４】
この発明は、電子納品システムに関し、詳しくは、調査、設計および工事に関する工事情報と、カメラメモを含む写真情報との電子データを電子納品媒体への書き込む電子納品システムに適用可能であり、写真が必要な工事情報の電子データを簡単かつ確実に電子納品媒体に書き込むことが可能である。
【図面の簡単な説明】
【００５５】
【図１】電子納品システムのハードウエア構成例を示す概略ブロック図である。
【図２】電子納品のフォルダの概略構成図である。
【図３】鉛管更新工事写真格納フォルダの構成を示す図である。
【図４】配水管整備工事写真格納フォルダの構成（１）を示す図である。
【図５】配水管整備工事写真格納フォルダの構成（２）を示す図である。
【図６】電子納品システムの概略工程図である。
【図７】工事情報作成工程Ｓ１の工事管理の画面を示す図である。
【図８】工事情報作成工程Ｓ１の工事情報の画面を示す図である。
【図９】工事情報作成工程Ｓ１のファイルを開く画面を示す図である。
【図１０】工事情報作成工程Ｓ１の参照読込み画面を示す図である。
【図１１】工事情報作成工程Ｓ１の工事管理の画面を示す図である。
【図１２】工事情報作成工程Ｓ１の工事情報の画面を示す図である。
【図１３】工事情報作成工程Ｓ１の工事管理の画面を示す図である。
【図１４】カメラメモ作成工程Ｓ２の編集の画面を示す図である。
【図１５】カメラメモ作成工程Ｓ２の編集の画面を示す図である。
【図１６】カメラメモ作成工程Ｓ２の編集の画面を示す図である。
【図１７】カメラメモ転送工程Ｓ３のケーブル接続の画面を示す図である。
【図１８】カメラメモ転送工程Ｓ３のカメラメモ転送の画面を示す図である。
【図１９】カメラメモ転送工程Ｓ３のカメラメモ転送終了の画面を示す図である。
【図２０】写真撮影工程Ｓ４のモードダイヤルを示す図である。
【図２１】写真撮影工程Ｓ４のカメラメモ設定を示す図である。
【図２２】写真情報転送工程Ｓ５の写真情報転送の画面を示す図である。
【図２３】写真情報転送工程Ｓ５の写真情報転送実行の画面を示す図である。
【図２４】写真情報転送工程Ｓ５の写真情報転送終了の画面を示す図である。
【図２５】ファイル出力工程Ｓ６の工事管理の画面を示す図である。
【図２６】ファイル出力工程Ｓ６の写真管理起動の画面を示す図である。
【図２７】ファイル出力工程Ｓ６の工事テンプレート読み込みの画面を示す図である。
【図２８】ファイル出力工程Ｓ６の工事テンプレート読み込み変更の画面を示す図である。
【図２９】ファイル出力工程Ｓ６の工事テンプレート読み込み終了の画面を示す図である。
【図３０】ファイル出力工程Ｓ６の工事テンプレート読み込み格納フォルダの画面を示す図である。
【図３１】ファイル出力工程Ｓ６の読み込み短縮の画面を示す図である。
【図３２】ファイル出力工程Ｓ６の読み込みフォルダの画面を示す図である。
【図３３】ファイル出力工程Ｓ６の読み込みの画面を示す図である。
【図３４】ファイル出力工程Ｓ６のフォルダ選択の画面を示す図である。
【図３５】ファイル出力工程Ｓ６の写真をフォルダに振り分ける画面を示す図である。
【図３６】写真属性追記工程Ｓ７の写真属性追記確認の画面を示す図である。
【図３７】写真属性追記工程Ｓ７の情報置換画面を表示するための画面を示す図である。
【図３８】写真属性追記工程Ｓ７の情報置換の画面を示す図である。
【図３９】写真属性追記工程Ｓ７の情報置換終了の画面を示す図である。
【図４０】写真属性追記工程Ｓ７の写真納品出力確認の画面を示す図である。
【図４１】写真属性追記工程Ｓ７の写真納品出力修正の画面を示す図である。
【図４２】写真属性追記工程Ｓ７の写真納品エラー表示の画面を示す図である。
【図４３】写真属性追記工程Ｓ７の写真納品出力終了の画面を示す図である。
【図４４】工事台帳作成工程Ｓ８のアルバム作成をクリックする画面を示す図である。
【図４５】工事台帳作成工程Ｓ８の設定条件をクリックする画面を示す図である。
【図４６】工事台帳作成工程Ｓ８の作成条件設定の画面を示す図である。
【図４７】工事台帳作成工程Ｓ８のアルバム作成カテゴリ選択の画面を示す図である。
【図４８】工事台帳作成工程Ｓ８のアルバム作成の画面を示す図である。
【図４９】工事台帳作成工程Ｓ８のアルバム編集印刷の画面を示す図である。
【図５０】写真フォルダ出力工程Ｓ９の電子納品出力作成をクリックする画面を示す図である。
【図５１】写真フォルダ出力工程Ｓ９の電子納品出力の画面を示す図である。
【図５２】写真フォルダ出力工程Ｓ９の施工管理写真管理の画面を示す図である。
【図５３】写真フォルダ出力工程Ｓ９の写真フォルダ出力終了の画面を示す図である。
【図５４】電子納品イメージ取込工程Ｓ１０の工事名の画面を示す図である。
【図５５】電子納品イメージ取込工程Ｓ１０の基本となる電子納品要領（案）選択の画面を示す図である。
【図５６】電子納品イメージ取込工程Ｓ１０のファイル読み込みの画面を示す図である。
【図５７】電子納品イメージ取込工程Ｓ１０の外部ファイル読み込みの画面を示す図である。
【図５８】電子納品イメージ取込工程Ｓ１０の警告の画面を示す図である。
【図５９】電子納品イメージ取込工程Ｓ１０のデータ読み込み終了の画面を示す図である。
【図６０】電子納品イメージ取込工程Ｓ１０の電子納品取込の画面を示す図である。
【図６１】電子納品イメージ取込工程Ｓ１０の電子納品取込の実行の画面を示す図である。
【図６２】電子納品イメージ取込工程Ｓ１０の電子納品取込終了の画面を示す図である。
【図６３】電子納品イメージ取込工程Ｓ１０の写真入力確認の画面を示す図である。
【図６４】電子納品イメージ作成工程Ｓ１１の納品チックを行うための画面を示す図である。
【図６５】電子納品イメージ作成工程Ｓ１１の納品チックの画面を示す図である。
【図６６】電子納品イメージ作成工程Ｓ１１のエラー表示の画面を示す図である。
【図６７】電子納品イメージ作成工程Ｓ１１のエラー表示の画面を示す図である。
【図６８】電子納品イメージ作成工程Ｓ１１の媒体イメージを選択する画面を示す図である。
【図６９】電子納品イメージ作成工程Ｓ１１の媒体イメージの出力設定の画面を示す図である。
【図７０】ウィルスチェック工程Ｓ１２のウィルスチェック起動の画面を示す図である。
【図７１】ウィルスチェック工程Ｓ１２のウィルスチェック起動の画面を示す図である。
【図７２】ウィルスチェック工程Ｓ１２のウィルスチェック対象のフォルダ選択の画面を示す図である。
【図７３】ウィルスチェック工程Ｓ１２のウィルスチェック対象のフォルダ選択の画面を示す図である。
【図７４】ウィルスチェック工程Ｓ１２のウィルスチェック検索の画面を示す図である。
【図７５】ウィルスチェック工程Ｓ１２のウィルスチェック終了の画面を示す図である。
【図７６】ウィルスチェック工程Ｓ１２のウィルス定義の日付メモの画面を示す図である。
【図７７】ウィルスチェック工程Ｓ１２のウィルス定義の日付メモ記入の画面を示す図である。
【図７８】電子納品媒体作成工程Ｓ１３のＣＤ−Ｒ書込の画面を示す図である。
【図７９】電子納品媒体作成工程Ｓ１３のＣＤ−Ｒ書込の画面を示す図である。
【図８０】電子納品媒体作成工程Ｓ１３の追加起動の画面を示す図である。
【図８１】電子納品媒体作成工程Ｓ１３の追加をクリックする画面を示す図である。
【図８２】電子納品媒体作成工程Ｓ１３の追加確認の画面を示す図である。
【図８３】電子納品媒体作成工程Ｓ１３の書込確認の画面を示す図である。
【図８４】ラベル印刷工程Ｓ１４のラベル印刷の画面を示す図である。
【図８５】ラベル印刷工程Ｓ１４の出力設定（１）の画面を示す図である。
【図８６】ラベル印刷工程Ｓ１４のラベル設定の画面を示す図である。
【図８７】ラベル印刷工程Ｓ１４の電子納品ツールの画面を示す図である。
【図８８】ラベル印刷工程Ｓ１４のラベル設定の画面を示す図である。
【図８９】ラベル印刷工程Ｓ１４のウィルスチェック設定の画面を示す図である。
【図９０】ラベル印刷工程Ｓ１４のラベル設定の画面を示す図である。
【図９１】ラベル印刷工程Ｓ１４のラベルプリンタの画面を示す図である。
【図９２】ラベル印刷工程Ｓ１４の印刷変更の画面を示す図である。
【図９３】ラベル印刷工程Ｓ１４のプレビュー確認の画面を示す図である。
【図９４】ラベル印刷工程Ｓ１４の印刷開始の画面を示す図である。
【図９５】電子納品確認工程Ｓ１５の確認開始の画面を示す図である。
【図９６】電子納品確認工程Ｓ１５のチェックを行うフォルダの設定の画面を示す図である。
【図９７】電子納品確認工程Ｓ１５の要領（案）及び基準（案）の画面を示す図である。
【図９８】電子納品確認工程Ｓ１５の結果表示の画面を示す図である。
【図９９】電子納品確認工程Ｓ１５のエラー内容確認の画面を示す図である。
【図１００】電子納品確認工程Ｓ１５のチェック結果の画面を示す図である。
【図１０１】電子納品確認工程Ｓ１５の印刷の画面を示す図である。
【図１０２】電子納品確認工程Ｓ１５の印刷選択の画面を示す図である。
【図１０３】電子納品確認工程Ｓ１５の印刷イメージ出力の画面を示す図である。
【図１０４】電子納品確認工程Ｓ１５の印刷開始の画面を示す図である。
【符号の説明】
【００５６】
１  コンピュータ
２  ＣＰＵ（中央処理装置）
３  記憶装置
４  入力操作装置
５  表示装置
６  バス
７  インターフェイス
８  プロッタ
９  プリンタ
１０  外部記憶媒体
１１  デジタルカメラ
１２  記憶媒体
１３  電子納品媒体
２１  工事管理ファイル
２２  発注図面フォルダ
２３  打合せ簿フォルダ
２４  施工計画書フォルダ
２５  完成図面フォルダ
２６  写真フォルダ
２７  その他フォルダ
Ｓ１  工事情報作成工程
Ｓ２  カメラメモ作成工程
Ｓ３  カメラメモ転送工程
Ｓ４  写真撮影工程
Ｓ５  写真情報転送工程
Ｓ６  ファイル出力工程
Ｓ７  写真属性追記工程
Ｓ８  工事台帳作成工程
Ｓ９  写真フォルダ出力工程
Ｓ１０  電子納品イメージ取込工程
Ｓ１１  電子納品イメージ作成工程
Ｓ１２  ウィルスチェック工程
Ｓ１３  電子納品媒体作成工程
Ｓ１４  ラベル印刷工程
Ｓ１５  電子納品確認工程
【図１】
2009259093.tif 000003
【図２】
2009259093.tif 000004
【図３】
2009259093.tif 000005
【図４】
2009259093.tif 000006
【図５】
2009259093.tif 000007
【図６】
2009259093.tif 000008
【図７】
2009259093.tif 000009
【図８】
2009259093.tif 000010
【図９】
2009259093.tif 000011
【図１０】
2009259093.tif 000012
【図１１】
2009259093.tif 000013
【図１２】
2009259093.tif 000014
【図１３】
2009259093.tif 000015
【図１４】
2009259093.tif 000016
【図１５】
2009259093.tif 000017
【図１６】
2009259093.tif 000018
【図１７】
2009259093.tif 000019
【図１８】
2009259093.tif 000020
【図１９】
2009259093.tif 000021
【図２０】
2009259093.tif 000022
【図２１】
2009259093.tif 000023
【図２２】
2009259093.tif 000024
【図２３】
2009259093.tif 000025
【図２４】
2009259093.tif 000026
【図２５】
2009259093.tif 000027
【図２６】
2009259093.tif 000028
【図２７】
2009259093.tif 000029
【図２８】
2009259093.tif 000030
【図２９】
2009259093.tif 000031
【図３０】
2009259093.tif 000032
【図３１】
2009259093.tif 000033
【図３２】
2009259093.tif 000034
【図３３】
2009259093.tif 000035
【図３４】
2009259093.tif 000036
【図３５】
2009259093.tif 000037
【図３６】
2009259093.tif 000038
【図３７】
2009259093.tif 000039
【図３８】
2009259093.tif 000040
【図３９】
2009259093.tif 000041
【図４０】
2009259093.tif 000042
【図４１】
2009259093.tif 000043
【図４２】
2009259093.tif 000044
【図４３】
2009259093.tif 000045
【図４４】
2009259093.tif 000046
【図４５】
2009259093.tif 000047
【図４６】
2009259093.tif 000048
【図４７】
2009259093.tif 000049
【図４８】
2009259093.tif 000050
【図４９】
2009259093.tif 000051
【図５０】
2009259093.tif 000052
【図５１】
2009259093.tif 000053
【図５２】
2009259093.tif 000054
【図５３】
2009259093.tif 000055
【図５４】
2009259093.tif 000056
【図５５】
2009259093.tif 000057
【図５６】
2009259093.tif 000058
【図５７】
2009259093.tif 000059
【図５８】
2009259093.tif 000060
【図５９】
2009259093.tif 000061
【図６０】
2009259093.tif 000062
【図６１】
2009259093.tif 000063
【図６２】
2009259093.tif 000064
【図６３】
2009259093.tif 000065
【図６４】
2009259093.tif 000066
【図６５】
2009259093.tif 000067
【図６６】
2009259093.tif 000068
【図６７】
2009259093.tif 000069
【図６８】
2009259093.tif 000070
【図６９】
2009259093.tif 000071
【図７０】
2009259093.tif 000072
【図７１】
2009259093.tif 000073
【図７２】
2009259093.tif 000074
【図７３】
2009259093.tif 000075
【図７４】
2009259093.tif 000076
【図７５】
2009259093.tif 000077
【図７６】
2009259093.tif 000078
【図７７】
2009259093.tif 000079
【図７８】
2009259093.tif 000080
【図７９】
2009259093.tif 000081
【図８０】
2009259093.tif 000082
【図８１】
2009259093.tif 000083
【図８２】
2009259093.tif 000084
【図８３】
2009259093.tif 000085
【図８４】
2009259093.tif 000086
【図８５】
2009259093.tif 000087
【図８６】
2009259093.tif 000088
【図８７】
2009259093.tif 000089
【図８８】
2009259093.tif 000090
【図８９】
2009259093.tif 000091
【図９０】
2009259093.tif 000092
【図９１】
2009259093.tif 000093
【図９２】
2009259093.tif 000094
【図９３】
2009259093.tif 000095
【図９４】
2009259093.tif 000096
【図９５】
2009259093.tif 000097
【図９６】
2009259093.tif 000098
【図９７】
2009259093.tif 000099
【図９８】
2009259093.tif 000100
【図９９】
2009259093.tif 000101
【図１００】
2009259093.tif 000102
【図１０１】
2009259093.tif 000103
【図１０２】
2009259093.tif 000104
【図１０３】
2009259093.tif 000105
【図１０４】
2009259093.tif 000106